(57)【要約】【課題】測定点となる標石が急な斜面の山の頂上や、周囲が樹木で困まれている場所にあっても、測定点にアンテナポールを鉛直に簡単に立設することができるＧＰＳアンテナポール直立視準目標器を提供するものである。【解決手段】上部にＧＰＳアンテナ１を取付けたアンテナポール２を、測定点となる標石３に鉛直に立設するＧＰＳアンテナポール直立視準目標器５において、大径円板部８と、これより外径の小さい小径円板部９との間に、一方の端面が前記大径円板部８と同じ外径で、他方の端面が前記小径円板部９と同じ外径の切頭円錐部１０を一体に設けて本体部７を形成し、本体部７の外周側面に、上下方向に連続する視準線１２を、周方向に間隔をおいて複数本形成したもので、これをアンテナポール２の上下に取付けて、正面中央の視準線１２が経緯儀が有する鉛直視準線に一致して見えるように調整する。【選択図】  図１
0003124687.tif 000002
【実用新案登録請求の範囲】
【請求項１】
上部にＧＰＳアンテナを取付けたアンテナポールを、測定点に鉛直に立設するＧＰＳアンテナポール直立視準目標器において、大径円板部と、これより外径の小さい小径円板部との間に、一方の端面が前記大径円板部と同じ外径で、他方の端面が前記小径円板部と同じ外径の切頭円錐部を一体に設けて本体部を形成し、前記大径円板部と切頭円錐部および小径円板部の外周側面に、上下方向に連続する視準線を、周方向に間隔をおいて複数本形成したことを特徴とするＧＰＳアンテナポール直立視準目標器。
【請求項２】
請求項１記載のＧＰＳアンテナポール直立視準目標器の本体部の軸芯に、アンテナポールが貫通する貫通孔を開孔して、アンテナポールに上下動自在に取付けると共に、アンテナポールに支持ストッパーを上下動自在に取付けて、本体部を回転自在に支持したことを特徴とするＧＰＳアンテナポール直立視準目標器。
【請求項３】
請求項１記載のＧＰＳアンテナポール直立視準目標器の本体部にねじ孔を形成し、アンテナポールの先端にボルトを突設し、このボルトを前記ねじ孔に螺合させてアンテナポールの先端に取付け、更に本体部の上部にＧＰＳアンテナを取付けたことを特徴とするＧＰＳアンテナポール直立視準目標器。
【考案の詳細な説明】
【技術分野】
【０００１】
本考案は計測基準となる標石の刻印にＧＰＳアンテナポールの中心を鉛直方向で一致させる装置に関するものである。
【背景技術】
【０００２】
ＧＰＳ測量は人工衛星からの電波を受信することにより位置の測定を行なっている。測定点の周囲に受信の障害となる樹木等があれば、ＧＰＳアンテナをポールの上端に取付けて高く上げることにより回避している。この時、基準となる標石の刻印とアンテナの中心が鉛直方向で一致した状態でワイヤー等により固定する必要がある。
【０００３】
従来のＧＰＳアンテナを必要な高さまで掲揚し、標石の刻印とアンテナの中心が鉛直方向で一致する位置で固定する方法としては、主に次の（１）〜（４）のような方法が行われていた。
【０００４】
（１）ＧＰＳアンテナ中心を通る鉛直線上に、アンテナポール内部を通して垂球をぶら下げ、垂球またはそれを支える線が外から見えるようにして位置を調整する。
（２）アンテナポール上下で鉛直線上に対応した複数の点において、上側から鉛直下方に投光し、下側に現れた光が対応点に合う位置に調整する。
（３）ＧＰＳアンテナとアンテナポールの間に、アンテナ中心を通る鉛直線を示す尖形な部材を設け、標石の刻印から放射状に夾角が９０度となる２方向に経緯儀を設置して、尖形な部材と標石の刻印を視準し、鉛直方向で一致するように調整する。
（４）ＧＰＳアンテナとアンテナポールの間に、ポール軸心から放射方向に伸延する位置決め線を刻んだ円盤状の治具を設け、標石の刻印から放射状に夾角が９０度となる２方向に経緯儀を設置して、位置決め線と標石の刻印を視準し、鉛直方向で一致するように調整する（特許文献１）。
【０００５】
しかしながら（１）の方法では、垂球を支える線が―直線となつていることを確認できないことから、正確ではない。また（２）の方法では、投光位置から受光位置までの距離に比例して鉛直投光の精度が悪くなり正確に位置設定ができない問題がある。また、（３）や（４）の方法では、基準となる標石は急な斜面からなる山の頂上にある場合が多く、また、周囲が樹木て困まれていることも多く、標石の刻印を直接視準するために標石より高い位置で、かつ、標石の刻印から放射状に夾角が９０度となる２方向で樹木等の障害物を避けながら経緯儀の設置場所を選点するのは困難である。
【特許文献２】特開平８ー２８５５９９
【考案の開示】
【考案が解決しようとする課題】
【０００６】
本考案は上記問題を改善し、測定点となる標石が急な斜面の山の頂上や、周囲が樹木で囲まれている場所にあっても、測定点にアンテナポールを鉛直に簡単に立設することができるＧＰＳアンテナポール直立視準目標器を提供するものである。
【課題を解決するための手段】
【０００７】
本考案の請求項１記載のＧＰＳアンテナポール直立視準目標器は、上部にＧＰＳアンテナを取付けたアンテナポールを、測定点に鉛直に立設するＧＰＳアンテナポール直立視準目標器において、大径円板部と、これより外径の小さい小径円板部との間に、一方の端面が前記大径円板部と同じ外径で、他方の端面が前記小径円板部と同じ外径の切頭円錐部を一体に設けて本体部を形成し、前記大径円板部と切頭円錐部および小径円板部の外周側面に、上下方向に連続する視準線を、周方向に間隔をおいて複数本形成したことを特徴とするものである。
【０００８】
本考案の請求項２記載のＧＰＳアンテナポール直立視準目標器は、請求項１の視準目標器の本体部の軸心に、アンテナポールが貫通する貫通孔を開孔して、アンテナポールに上下動自在に取付けると共に、アンテナポールに支持ストッパーを上下動自在に取付けて、本体部を回転自在に支持したことを特徴とするものである。
【０００９】
本考案の請求項３記載のＧＰＳアンテナポール直立視準目標器は、請求項１の視準目標器の本体部にねじ孔を形成し、アンテナポールの先端にボルトを突設し、このボルトを前記ねじ孔に螺合させてアンテナポールの先端に取付け、更に本体部の上部にＧＰＳアンテナを取付けたことを特徴とするものである。
【考案の効果】
【００１０】
本考案に係る請求項１記載のＧＰＳアンテナポール直立視準目標器によれば、測定点となる標石が急な斜面の山の頂上や、周囲が樹木で困まれている場所にあっても、アンテナポールの上部に取付けた視準目標器を経緯儀で視準し、上下方向に連続する視準線のうち中央の１本が、経緯儀の有する鉛直視準線と一致して見えるように傾きを調整することにより、アンテナポールを測定点に鉛直に立設することができる。
【００１１】
また請求項２記載のＧＰＳアンテナポール直立視準目標器によれば、アンテナポールの下部に取付けた視準目標器を経緯儀から見える下限の高さに調整して、更に視準目標器を回転させて、上下方向に連続する視準線のうち中央の１本が、経緯儀で視準した際に直線に見えるように調整して、樹木などの障害物があり、測定点となる標石を直視できない場所でも、アンテナポール下部の中心、すなわち標石の刻印の鉛直上方線を測定することができる。
【００１２】
また請求項３記載のＧＰＳアンテナポール直立視準目標器によれば、アンテナポールと視準目標器を一体に接続したので、現場での作業が容易である。
【考案を実施するための最良の形態】
【００１３】
以下本考案の実施の一形態を図１ないし図４を参照して詳細に説明する。図１はＧＰＳ測量を行なっている状態を示すもので、上端にＧＰＳアンテナ１を取付けたアンテナポール２を、測定点となる標石３に立設し、放射状に張った複数本のワイヤー４で支持している。前記アンテナポール２の上下には２個のＧＰＳアンテナポール直立視準目標器５、５が設けられ、この下部が支持ストッパー６、６で支持されている。
【００１４】
前記視準目標器５は、図２ないし図４に示すように、本体部７が大径円板部８と、これより外径の小さい小径円板部９との間に、一方の端面が前記大径円板部８と同じ外径で、他方の端面が前記小径円板部９と同じ外径の切頭円錐部１０を一体に形成したもので、その中心に上下にアンテナポール２が貫通する貫通孔１１が開孔されている。更に本体部７の大径円板部８と切頭円錐部１０および小径円板部９の外周側面には、上下方向に連続する視準線１２が、３６０度周方向に、等間隔で複数本形成されている。
【００１５】
前記支持ストッパー６は、図４に示すように円板状に形成されて、その中心に上下にアンテナポール２が貫通する貫通孔１３が形成され、更に側面から貫通孔１３に向かって、締付けボルト１４が取付けられている。
【００１６】
一方の視準目標器５は、図１に示すように大径円板部８を上にして、アンテナポール２の上部に取付け、その下部を支持ストッパー６で支持する。他方の視準目標器５は、アンテナポール２の下部側に取付け、経緯儀から見える下限の高さに上げて、経緯儀から見下ろす場合には大径円板部８を下に、経緯儀から見上げる場合には上にして、支持ストッパー６の締付けボルト１４によりその位置を保持する。更にアンテナポール２または視準目標器５を回転させて、上部側と下部側の２つの視準目標器５で、中央の視準線１２が経緯儀の正面に位置するように調整する。
【００１７】
この状態で経緯儀を測定点となる標石３の近くに設置して、アンテナポール２の下部に取付けた一方の視準目標器５を視準し、その正面中央の上下方向に連続する視準線１２を見る。アンテナポール２が垂直に立設されていないと、本体部７の大径円板部８と切頭円錐部１０および小径円板部９を結ぶ上下に連続する視準線１２が、経緯儀が有する鉛直視準線に対して斜めに交差して見える。
【００１８】
このような場合、本体部７の上下方向に連続する視準線１２が、経緯儀が有する鉛直視準線に一致して見えるようにアンテナポール２を放射状に支えているワイヤー４の長さを調整してアンテナポール２の傾きを調整する。このように本体部７の正面中央の上下方向に連続する視準線１２が経緯儀が有する鉛直視準線に一致して見えれば、アンテナポール２が鉛直に立設され、経緯儀がアンテナポール２の下部中心、すなわち計測基準となる標石３の刻印の鉛直上方線を視準している状態となる。
【００１９】
更に正確に鉛直に立設するためには、経緯儀の視準方向を鉛直上方に移動させ、アンテナポール２の上部側に取付けた他方の視準目標器５を視準し、同様にその正面中央の上下方向に連続する視準線１２を見る。アンテナポール２が垂直に立設されていないと、大径円板部８と切頭円錐部１０および小径円板部９を結ぶ連続する視準線１２が経緯儀が有する鉛直視準線に対して斜めに交差して見える。この場合、アンテナポール２を支えているワイヤー４の長さを調整してアンテナポール２の傾きを調整し、上下方向に連続する視準線１２が経緯儀が有する鉛直視準線に一致して見えるようにすることによりアンテナポール２が鉛直に立設された状態となる。このようにアンテナポール２の上下で鉛直が確認されると、アンテナポール２は測定点となる標石３に鉛直に立設されたことになる。
【００２０】
図５は本考案の他の実施の形態を示すもので、アンテナポール２の上部に取付ける視準目標器５を固定したものである。この場合、アンテナポール２の先端にボルト１６を突設し、視準目標器５は、本体部７の小径円板部９にねじ孔１７を形成すると共に、大径円板部８の上部中央にボルト１６が突設されている。更にＧＰＳアンテナ１の底部にねじ孔１７が形成されている。
【００２１】
上記構成のＧＰＳアンテナポール直立視準目標器５は、アンテナポール２の先端に突設したボルト１６を、視準目標器５の底面に形成したねじ孔１７に螺合させ、更に視準目標器５の上面に突設したボルト１６を、ＧＰＳアンテナ１の底部に形成したねじ孔１７に螺合させて、アンテナポール２と視準目標器５およびＧＰＳアンテナ１を一体に接続したものである。なおアンテナポール２の下部側に取り付ける視準目標器５は、周囲の障害物の状況によって上下動させるので図２と同様に上下自在に取付けて支持ストッパー６で固定する。
【図面の簡単な説明】
【００２２】
【図１】本考案の実施の一形態によるＧＰＳアンテナポールを標石の上に設置した状態を示す正面図である。
【図２】図１のＧＰＳアンテナポール直立視準目標器を上方から見た斜視図である。
【図３】図２のＧＰＳアンテナポール直立視準目標器を下方から見た斜視図である。
【図４】図３のＧＰＳアンテナポール直立視準目標器をアンテナポールに取付けた状態を示す断面図である。
【図５】本考案の他の実施の形態によるＧＰＳアンテナポール直立視準目標器をアンテナポールに一体に取付けた状態を示す断面図である。
【符号の説明】
【００２３】
１    ＧＰＳアンテナ                                        
２    アンテナポール                                        
３    標石                                                  
４    ワイヤー                                              
５    ＧＰＳアンテナポール直立視準目標器                    
６    支持ストッパー                                        
７    本体部                                                
８    大径円板部                                            
９    小径円板部                                            
１０  切頭円錐部                                            
１１  貫通孔                                                
１２  視準線                                                
１３  貫通孔                                                
１４  締付けボルト                                          
１６  ボルト                                                
１７  ねじ孔                                                
【図１】
0003124687.tif 000003
【図２】
0003124687.tif 000004
【図３】
0003124687.tif 000005
【図４】
0003124687.tif 000006
【図５】
0003124687.tif 000007